(57)【要約】【課題】過給効率の向上を図ると共に製造コストを低減し、更には、軸受部から流出した油がインペラ側に漏出しないようにしたターボチャージャを提供する。【解決手段】タービン軸５を軸受ハウジング３に支持する軸受部３１と前方のインペラ６との間に油きり３６を配置すると共に、油きり３６の前方部外周に対峙して軸受部３１からインペラ６側への油漏れを防止するシールプレート４４を、インペラ６の背面に位置するよう軸受ハウジング３と一体に備え、更に油きり３６の後方部外周に対峙して油溜め４０を構成するよう軸受ハウジング３に油きり対峙部３９を形成してなるターボチャージャであって、シールプレート４４を圧入プレート４７により構成し、圧入プレート４７の径を、インペラ６の外径よりも小さく、且つ油きり対峙部３９の外周４２を加工する又は油きり対峙部３９に備える油排出穴４１を加工するための作業用最小口径に対して同等以上とする。【選択図】図１
2008184948.tif 000002
【特許請求の範囲】
【請求項１】
タービン軸を軸受ハウジングに支持する軸受部と前方のインペラとの間に油きりを配置すると共に、油きりの前方部外周に対峙して軸受部からインペラ側への油漏れを防止するシールプレートを、インペラの背面に位置するよう軸受ハウジングと一体に備え、更に前記油きりの後方部外周に対峙して油溜めを構成するよう軸受ハウジングに油きり対峙部を形成してなるターボチャージャであって、前記シールプレートを圧入プレートにより構成し、該圧入プレートの径を、前記インペラの外径よりも小さく、且つ前記油きり対峙部の外周を加工する又は前記油きり対峙部に備える油排出穴を加工するための作業用最小口径に対して同等以上としたことを特徴とするターボチャージャ。
【請求項２】
前記油溜めが、油きりの後方部端側で外周に突出する第一突出部と、軸方向中途位置で外周に突出する第二突出部と、前記油きり対峙部に形成されて第一突出部に対向する第一対峙部と、前記油きり対峙部に形成されて第二突出部に対向する第二対峙部とを備えたことを特徴とする請求項１に記載のターボチャージャ。
【発明の詳細な説明】
【技術分野】
【０００１】
本発明は、軸受部からの潤滑油がインペラ側に漏出するのを防止するようにしたターボチャージャに関するものである。
【背景技術】
【０００２】
一般にターボチャージャは、図９、図１０に示す如く、タービンハウジング１とコンプレッサハウジング２の間に軸受ハウジング３が一体に配置されており、軸受ハウジング３には軸受部４を介してタービン軸５が回転自在に支持されている。タービン軸５の一方（前方側）には、コンプレッサハウジング２に包囲されるインペラ６が備えられると共に、タービン軸５の他方（後方側）には、タービンハウジング１に包囲されるタービンロータ７が備えられている。
【０００３】
軸受ハウジング３の内部に配置される軸受部４は、タービン軸５の軸方向へ間隔を有して配置された回転軸受としての浮動ブッシュ４ａと、浮動ブッシュ４ａの軸方向への移動を規制する内側プレート４ｂと、軸受ハウジング３内にボルト８を介して固定される外側スラスト受４ｃと、内側プレート４ｂと外側スラスト受４ｃの間に配置されてタービン軸５の段部５ａに当接するスラストカラー４ｄとからなるスラスト軸受にて構成されている。
【０００４】
又、軸受ハウジング３には、タービン軸５の軸方向へ向かって形成された供給穴９と、供給穴９から浮動ブッシュ４ａに向けて分岐した第一分岐流路１０とが形成されており、供給穴９へ供給した潤滑油は、第一分岐流路１０から浮動ブッシュ４ａと軸受ハウジング３との間、及び浮動ブッシュ４ａとタービン軸５との間に供給されて油膜が形成され、タービン軸５の回転を支持するようになっている。ここで、浮動ブッシュ４ａには、浮動ブッシュ４ａとタービン軸５との間に油膜を形成するために径方向に貫通した油路１１が備えられている。
【０００５】
更に、軸受ハウジング３には、供給穴９から別に分岐した第二分岐流路１２が形成されており、供給穴９へ供給した潤滑油は、第二分岐流路１２から外側スラスト受４ｃに形成した油路１３を介して、外側スラスト受４ｃとスラストカラー４ｄとの間に供給されて油膜が形成され、スラスト荷重を受けるようになっている。
【０００６】
一方、タービン軸５の外周における軸受部４のスラストカラー４ｄとインペラ６の間には、筒状の油きり１４が備えられている。油きり１４の前方部１４ａの外周面には、環状の溝１４ｂを形成して該溝１４ｂにピストンリング状のシールリング１５を配置している。又、油きり１４の後方部１４ｃは、外側スラスト受４ｃの内周面に僅かな隙間１６を有して嵌合している。
【０００７】
油きり１４の前方部１４ａ外周に対峙する位置には、軸受ハウジング３にボルト１７を介して固定されるシールプレート１８が配置されており、該シールプレート１８の内周端面には、前記油きり１４の溝１４ｂに配置されたピストンリング状のシールリング１５が、広がろうとするスプリング力によって当接している。又、シールプレート１８は、インペラ６の背面に位置してインペラ６の外径よりも大きく形成されていると共に、コンプレッサからの圧縮空気を整流するためのディフューザ部１９の流路２０の一部を形成している。
【０００８】
このようなターボチャージャを駆動する際には、エンジンの排気ガス等によりタービンロータ７が回転し、タービン軸５の回転によりインペラ６が駆動されて吸気口２１から空気を吸引して圧縮する。圧縮された空気は、ディフューザ部１９の流路２０により整流されて下流側のエンジンに過給され、エンジンの出力性能の向上を図るようにしている（例えば、特許文献１参照）。
【０００９】
この時、軸受部４においては、供給穴９から潤滑油を供給すると、浮動ブッシュ４ａと軸受ハウジング３との間、及び浮動ブッシュ４ａとタービン軸５との間に油膜を形成し、油膜を形成した潤滑油は、内側プレート４ｂとタービン軸５との隙間、内側プレート４ｂとスラストカラー４ｄとの隙間から流出される。一方、潤滑油は、外側スラスト受４ｃとスラストカラー４ｄとの間にも供給されて油膜を形成し、油膜を形成した潤滑油は、油きり１４の後方部１４ｃと外側スラスト受４ｃとの隙間１６から流出される。
【特許文献１】特開２００２−３８９６６号公報
【発明の開示】
【発明が解決しようとする課題】
【００１０】
しかしながら、ターボチャージャにおいて、従来例の如く軸受ハウジング３に別体のシールプレート１８を組み付けた構成では、ディフューザ部１９の流路２０に、ボルト１７のボルトヘッド部１７ａによる凹凸２２や、シールプレート１８の境界部分による凹凸２３を生じるため、空気の流れを乱して過給効率が低下するという問題があった。又、シールプレート１８を組み付ける際には、インペラ６から空気が過給されるディフューザ部１９の流路２０に、工具等によるキズを生じる可能性があるため、キズが生じた場合には、同様に空気の流れを乱して過給効率が低下するという問題があった。更に、軸受ハウジング３のねじ加工等により加工費が増加すると共に、シールプレート１８を組み付ける際に用いるボルト１７等の部品点数が増加するため、製造コストが増加するという問題があった。
【００１１】
又、油きり１４の後方部１４ｃと外側スラスト受４ｃとの隙間１６から流出される潤滑油は、外側スラスト受４ｃとシールプレート１８との間の空間２４から外部に流出されることが好ましいが、タービン軸５及び油きり１４が高速回転しているため、潤滑油がミスト状になって外側スラスト受４ｃ周辺に堆積し、このミストがシールリング１５まで伝わり、シールリング１５からインペラ６側へ漏出してしまうという問題があった。
【００１２】
本発明は、斯かる実情に鑑みてなしたもので、過給効率の向上を図ると共に製造コストを低減し、更には、軸受部から流出した油がインペラ側に漏出しないようにしたターボチャージャを提供することを目的とするものである。
【課題を解決するための手段】
【００１３】
本発明は、タービン軸を軸受ハウジングに支持する軸受部と前方のインペラとの間に油きりを配置すると共に、油きりの前方部外周に対峙して軸受部からインペラ側への油漏れを防止するシールプレートを、インペラの背面に位置するよう軸受ハウジングと一体に備え、更に前記油きりの後方部外周に対峙して油溜めを構成するよう軸受ハウジングに油きり対峙部を形成してなるターボチャージャであって、前記シールプレートを圧入プレートにより構成し、該圧入プレートの径を、前記インペラの外径よりも小さく、且つ前記油きり対峙部の外周を加工する又は前記油きり対峙部に備える油排出穴を加工するための作業用最小口径に対して同等以上としたことを特徴とするターボチャージャ、に係るものである。
【００１４】
又、本発明において、油溜めが、油きりの後方部端側で外周に突出する第一突出部と、軸方向中途位置で外周に突出する第二突出部と、前記油きり対峙部に形成されて第一突出部に対向する第一対峙部と、前記油きり対峙部に形成されて第二突出部に対向する第二対峙部とを備えることが好ましい。
【００１５】
このように本発明のターボチャージャによれば、シールプレートを圧入プレートにより構成して軸受ハウジングに一体化させるので、ボルトによる固定を不要にしてボルトヘッド部による凹凸を無くすと共に、圧入プレートの径を、インペラの外径よりも小さくしたので、圧入プレートの境界部分等による凹凸を、ディフューザ部の流路とは異なるインペラの背面に位置させることができ、よって凹凸により空気が乱れることを防止し、過給効率の低下を防止することができる。又、圧入プレートを圧入する際に工具等によるキズが生じた場合であっても、当該キズは、ディフューザ部の流路とは異なるインペラの背面に位置させることができるので、当該キズの凹凸により空気が乱れることを防止し、過給効率の低下を防止することができる。更に、シールプレートを圧入プレートにより形成するので、軸受ハウジングに固定するためのねじ加工等を不要にして加工費が抑制されると共に、ボルトによる組み付けを不要にして部品点数を減らし、結果的に製造コストが低減される。
【００１６】
又、油きりと油きり対峙部とによって油溜めを構成し、軸受部から流出する潤滑油を油溜めに流入させて油排出穴から外部に排出するようにしたので、油きりと油きり対峙部の間からインペラ側に漏出する潤滑油の量を極力少なくすることができる。更に、シールプレートに設けられて圧入プレートが圧入される穴の口径は、油きり対峙部の外周を加工し得る口径としてあるので、油きり対峙部の外周を適切に形成し、油きりと油きり対峙部の間から滲み出た潤滑油を油きり対峙部の外周に沿って流すことで、潤滑油がシールプレートへ向かうことを防止し、インペラ側に漏出しないようにすることができる。更に又、シールプレートに設けられて圧入プレートが圧入される穴の口径は、油きり対峙部に油排出穴を加工し得る口径としてあるので、軸受部から油溜めに流入した潤滑油を前記油排出穴から直ちに外部へ排出することができ、よって潤滑油がシールプレートへ向かうことを防止して、インペラ側に潤滑油が漏出するのを防止することができる。
【００１７】
本発明において、油溜めを、油きりの後方部端側で外周に突出する第一突出部と、軸方向中途位置で外周に突出する第二突出部と、前記油きり対峙部に形成されて第一突出部に対向する第一対峙部と、前記油きり対峙部に形成されて第二突出部に対向する第二対峙部とにより構成すると、油溜めを容易に形成することができる。
【発明の効果】
【００１８】
本発明のターボチャージャによれば、圧入プレートを備えたシールプレートの構成により過給効率の向上を図ると共に製造コストを低減することができ、更に、油きりと油きり対峙部との間に設けた油溜めの構成により、軸受部から流出した潤滑油を受けて油排出穴から直ちに外部に排出することができ、よって潤滑油がインペラ側に漏出しないようにすることができるという優れた効果を奏し得る。
【発明を実施するための最良の形態】
【００１９】
以下、本発明の実施の形態を添付図面を参照して説明する。
【００２０】
図１〜図８は本発明を実施する形態例であって、図９、図１０と同一の符号を付した部分は同一物を表わしており、本発明の実施の形態のターボチャージャは、従来の軸受部４からの潤滑油の排出による課題を解決するために以下のように構成している。
【００２１】
軸受ハウジング３の内部でタービン軸５を支持する図１、図２の軸受部３１は、タービン軸５を２点で支持する一体構造を有した浮動ブッシュ３２で構成されている。浮動ブッシュ３２には、軸受ハウジング３に形成された供給穴３３、及び供給穴３３から延在する流路３４により潤滑油が供給されており、浮動ブッシュ３２と軸受ハウジング３との間、及び浮動ブッシュ３２とタービン軸５との間に油膜が形成され、タービン軸５の回転を支持するようになっている。ここで、浮動ブッシュ３２には、浮動ブッシュ３２とタービン軸５との間に油膜を形成するために径方向に貫通する油路３５が備えられている。
【００２２】
軸受部３１の浮動ブッシュ３２の一方（前方側）には、タービン軸５の外周における浮動ブッシュ３２と前方のインペラ６の間に位置してタービン軸５のスラスト軸受を兼ねた油きり３６が備えられている。油きり３６の前方部３６ａの外周面には、環状の溝３６ｂを形成して該溝３６ｂにピストンリング状のシールリング３７を配置している。又、油きり３６の後方部３６ｃの外周には、軸受部３１を支持する軸受ハウジング３の内周部３８からタービン軸５の軸方向に沿って前方側へ延在する円筒状の油きり対峙部３９が形成されている。
【００２３】
油きり３６の後方部３６ｃと油きり対峙部３９の間には、油溜め４０が構成されている。油溜め４０は、油きり３６の後方部３６ｃ端側で外周に突出する第一突出部３６ｄと、軸方向中途位置で外周に突出する第二突出部３６ｅと、油きり対峙部３９に形成されて第一突出部３６ｄに対向する第一対峙部３９ａと、油きり対峙部３９に形成されて第二突出部３６ｅに対向する第二対峙部３９ｂとを備え、第一突出部３６ｄと第二突出部３６ｅの間に位置する溝４０ａと、第一対峙部３９ａと第二対峙部３９ｂの間に位置する溝４０ｂにより構成されている。又、油溜め４０には、溝４０ｂから油きり対峙部３９を外周側へ貫通する複数の油排出穴４１が備えられており、油排出穴４１は、溝４０ｂから外側に向かって、インペラ６側から離間する方向へ延在するように斜めに形成されている。
【００２４】
ここで、油きり対峙部３９の前方側端部の外周４２は、図５に示す加工具４３によって二段加工されることにより、肉厚を確保すると同時に、内周から外周に向かって後方側に後退するように形成して、潤滑油が油きり対峙部３９の外周４２に沿ってインペラ６から遠ざかって外方に流動するようになっている。
【００２５】
軸受部３１の浮動ブッシュ３２を潤滑すると、従来例の軸受部４と同様に、浮動ブッシュ３２と軸受ハウジング３との間、及び浮動ブッシュ３２とタービン軸５との間から潤滑油が流出するが、流出した潤滑油は、油きり３６の第一突出部３６ｄと油きり対峙部３９の第一対峙部３９ａの間から油溜め４０に流れ込んで一時的に溜り、油排出穴４１によりインペラ６側と離間する方向へ排出される。これによって、タービン軸５及び油きり３６の高速回転に伴って、油きり３６の第二突出部３６ｅと油きり対峙部３９の第二対峙部３９ｂの間から滲み出る潤滑油は僅かな量になり、更に、滲み出た潤滑油は、油きり対峙部３９の外周４２に沿ってインペラ６と離間する方向へ流れ、全体的に潤滑油がインペラ６側へ向かうことを防止する。
【００２６】
一方、本発明のターボチャージャは、更に、従来のシールプレート１８が軸受ハウジング３と別体であることによる課題を解決するために以下のように構成している。
【００２７】
油きり３６の前方部３６ａ外周に対峙する位置には、インペラ６の背面に位置して軸受ハウジング３と一体化するシールプレート４４が備えられている。シールプレート４４は、軸受ハウジング３と一体に形成されてインペラ６の背面の所要位置まで延長された固定シールプレート４５と、該固定シールプレート４５の内周の穴４６に緊密に圧入される圧入プレート４７とにより構成されている。又、圧入プレート４７の内周端面には、油きり３６の溝３６ｂに配置されたシールリング３７が、広がろうとするスプリング力によって当接している。
【００２８】
ここで、圧入プレート４７の外径は、インペラ６の外径よりも小さく、且つ固定シールプレート４５の穴４６を通して加工具４３により油きり対峙部３９の外周４２を加工するため又は油排出穴４１を加工するために必要な作業用最小口径に対して同等以上の大きさに形成されている。又、図１，図２の圧入プレート４７の外径は、油きり対峙部３９の外周径と同径若しくは油きり対峙部３９の外周径より若干大きい径（同径以上）となっている。なお、穴４６が、大口径であれば、加工具４３により油きり対峙部３９の外周４２及び油排出穴４１を容易に加工できるが、圧入プレート４７の径も大径になって、圧入する作業の力が大きくなるという問題があるため、穴４６及び圧入プレート４７の口径は、小口径とすることが好ましい。
【００２９】
圧入プレート４７を固定シールプレート４５の穴４６に圧入する際には、初めに、図６に示す如く圧入プレート４７の内周端面にシールリング３７を介して油きり３６を配置し、次に、図７に示す如く軸受ハウジング３を、コンプレッサ側が上に向くよう台座４８に配置し、油きり３６を配した圧入プレート４７を固定シールプレート４５の穴４６に合致させて仮配置し、図８に示す圧入冶具４９を用いてプレス（図示せず）により圧入する。これにより、油きり３６の第一突出部３６ｄ及び第二突出部３６ｅは軸受ハウジング３の第一対峙部３９ａ及び第二対峙部３９ｂに合致し、軸受ハウジング３の固定シールプレート４５との間（境界部分）には段差が生じないように配置される。ここで、図８の５０は、シールプレート４４を圧入する圧入冶具４９にプレスの力を作用させるよう外周に突出させたプレス受けである。
【００３０】
軸受ハウジング３に圧入プレート４７及び油きり３６を配置した後は、タービン軸５、インペラ６、タービンロータ７，タービンハウジング１、コンプレッサハウジング２等を組み立てて全体を構成する。駆動時には、エンジンの排気ガス等によりタービンロータ７を回転してタービン軸５に連結するインペラ６を駆動し、インペラ６は、吸気口２１から空気を吸引して圧縮し、圧縮された空気は、ディフューザ部１９の流路２０で整流されて下流側のエンジンに過給される。
【００３１】
このように本発明の実施の形態例のターボチャージャによれば、圧入プレート４７を固定シールプレート４５に圧入して軸受ハウジング３に一体化させるので、ボルトによる固定を不要にしてボルトヘッド部による凹凸を無くすと共に、圧入プレート４７の径を、インペラ６の外径よりも小さくしたので、圧入プレート４７の境界部分等による凹凸を、ディフューザ部１９の流路２０とは異なるインペラ６の背面に位置させることができ、よって凹凸により空気が乱れることを防止し、過給効率の低下を防止することができる。又、圧入プレート４７を圧入する際に圧入冶具４９等の工具によるキズが生じた場合であっても、当該キズを、ディフューザ部１９の流路２０とは異なるインペラ６の背面に位置させることができるので、当該キズの凹凸により空気が乱れることを防止し、過給効率の低下を防止することができる。更にシールプレート４４を圧入プレート４７により形成するので、軸受ハウジング３に固定するためのねじ加工等を不要にして加工費が抑制されると共に、ボルトによる組み付けを不要にして部品点数を減らし、結果的に製造コストが低減される。
【００３２】
又、油きり３６と油きり対峙部３９とによって油溜め４０を構成し、軸受部３１から流出する潤滑油を油溜め４０に流入させて油排出穴４１より直ちに外部に排出するので、タービン軸５及び油きり３６が高速回転する場合であっても、油きり３６と油きり対峙部３９の間からシールプレート４４側に滲み出る潤滑油を僅かな量にし、軸受部３１から滲み出た潤滑油がシールリング３７を介してインペラ６側に漏出しないようにすることができる。更に、圧入プレート４７の径に対応する固定シールプレート４５の穴４６の口径は、油きり対峙部３９の外周４２を加工し得る口径となっているので、油きり対峙部３９の外周４２を適切に形成し、油きり３６と油きり対峙部３９の間から滲み出た潤滑油を油きり対峙部３９の外周４２に沿って流すことで、潤滑油がシールリング３７方向へ向かうのを防止することができる。更に又、圧入プレート４７の径に対応する固定シールプレート４５の穴４６の口径は、油きり対峙部３９に油排出穴４１を加工し得る口径となっているので、油きり３６と油きり対峙部３９の間に形成した油溜め４０に油排出穴４１を加工し、油溜め４０に流入した潤滑油を油排出穴４１から直ちに外部に排出して、潤滑油がシールプレート４４側へ向かうことを防止し、よって潤滑油がシールリング３７を経てインペラ６側に漏出しないようにすることができる。
【００３３】
本発明の実施の形態例において、油溜め４０を、油きり３６の後方部３６ｃ端側で外周に突出する第一突出部３６ｄと、軸方向中途位置で外周に突出する第二突出部３６ｅと、油きり対峙部３９に形成されて第一突出部３６ｄに対向する第一対峙部３９ａと、油きり対峙部３９に形成されて第二突出部３６ｅに対向する第二対峙部３９ｂとにより形成したので、油溜め４０を容易に形成でき、更に、軸受部３１から流出する潤滑油は油溜め４０に容易に流入することになるため、タービン軸５及び油きり３６が高速回転する場合であっても、油きり３６と油きり対峙部３９の間からシールプレート４４側へ滲み出る油を僅かな量にでき、よって軸受部３１から流出した潤滑油がシールリング３７を経てインペラ６側に漏出するのを防止することができる。
【００３４】
尚、本発明のターボチャージャは、上述の図示例にのみ限定されるものではなく、軸受部の形態は図示例に限定されるものでなく、従来例の構成や他の構成であっても良いこと、その他、本発明の要旨を逸脱しない範囲内において種々の変更を加え得ることは勿論である。
【図面の簡単な説明】
【００３５】
【図１】本発明を実施する形態例としてのターボチャージャを示す概略図である。
【図２】油きり及びシールプレートを拡大して示す概略図である。
【図３】軸受ハウジング及び油きり対峙部を示す概略図である。
【図４】油排出穴の流路を示す概略図である。
【図５】油きり対峙部を形成する状態を示す概念図である。
【図６】シールプレートに油きりを備えた状態を示す概略図である。
【図７】軸受ハウジングにシールプレートを圧入した概念図である。
【図８】圧入冶具を示す概略図である。
【図９】従来のターボチャージャを示す概略図である。
【図１０】従来の油きり及びシールプレートを拡大して示す概略図である。
【符号の説明】
【００３６】
３    軸受ハウジング
５    タービン軸
６    インペラ
３１    軸受部
３６    油きり
３６ａ  前方部
３６ｃ  後方部
３６ｄ  第一突出部
３６ｅ  第二突出部
３９    油きり対峙部
３９ａ  第一対峙部
３９ｂ  第二対峙部
４０    油溜め
４１    油排出穴
４２    外周
４４    シールプレート
４７    圧入プレート
【図１】
2008184948.tif 000003
【図２】
2008184948.tif 000004
【図３】
2008184948.tif 000005
【図４】
2008184948.tif 000006
【図５】
2008184948.tif 000007
【図６】
2008184948.tif 000008
【図７】
2008184948.tif 000009
【図８】
2008184948.tif 000010
【図９】
2008184948.tif 000011
【図１０】
2008184948.tif 000012